【手続補正書】
【提出日】平成18年1月24日(2006.1.24)
【手続補正１】
【補正対象書類名】特許請求の範囲
【補正対象項目名】全文
【補正方法】変更
【補正の内容】
【特許請求の範囲】
【請求項１】
通信システムにおける逆リンクの付加チャネルのスケジューリング情報を送信するための方法であり、以下を具備する：
前記通信システムの複数の移動局を移動局の複数のグループに分類する；
前記移動局の複数のグループに対応する数の順リンクのチャネルの割当チャネルを割り当てる；
前記対応する数の順リンクのチャネルの割当チャネル上に前記逆リンクの付加チャネルのスケジューリング情報を送信する。
【請求項２】
通信システムにおける逆リンクの付加チャネルのスケジューリング情報を送信するための装置であり、以下を具備する：
前記通信システムの複数の移動局を移動局の複数のグループに分類し、
そして前記移動局の複数のグループに対応する数の順リンクのチャネルの割当チャネルを割り当てるための基地局コントローラ；
前記対応する数の順リンクのチャネルの割当チャネル上に前記逆リンクの付加チャネルのスケジューリング情報を送信するための送信機。
【請求項３】
逆リンクの送信のスケジューリング情報を通信するための方法であって、以下を具備する：
通信システムの移動局に対して逆リンクの付加チャネルの送信のスケジューリングを決定する；
前記通信システムにおいて前記移動局を移動局のグループに分類する；
前記移動局のグループに順リンクのチャネルの割当チャネルを割り当てる；
前記割り当てられた順リンクの共通割当チャネルに前記決定されたスケジューリングに関連した情報を組み入れる；
前記逆リンクの付加チャネルの送信をスケジュールするために前記移動局に前記割り当てられた順リンクの共通割当チャネルを送信する。
【請求項４】
請求項３に記載の方法であって、以下を更に具備する：
前記移動局で前記割り当てられた順リンクの共通割当チャネルを受信する；
前記決定されたスケジューリングに従って前記移動局からの前記逆リンクの付加チャネルの送信の送信をスケジュールする。
【請求項５】
請求項４に記載の方法であって、以下を更に具備する：
前記決定されたスケジューリングに従って前記逆リンクの付加チャネルを送信する。
【請求項６】
逆リンクの送信のスケジューリング情報を通信するための装置であって、以下を具備する：
通信システムの移動局に対して逆リンクの付加チャネルの送信のスケジューリングを決定し、前記通信システムにおいて前記移動局を移動局のグループに分類し、そして
前記移動局のグループに順リンクのチャネルの割当チャネルを割り当てるための基地局コントローラ；
前記割り当てられた順リンクの共通割当チャネルに前記決定されたスケジューリングに関連した情報を組み入れ、そして前記逆リンクの付加チャネルの送信をスケジュールするために前記移動局に前記割り当てられた順リンクの共通割当チャネルを送信するための送信機。
【請求項７】
請求項６に記載の装置であって、以下を更に具備する：
前記移動局で前記割り当てられた順リンクの共通割当チャネルを受信するための前記移動局の受信機；
前記決定されたスケジューリングに従って前記移動局からの前記逆リンクの付加チャネルの送信の送信をスケジュールするための前記移動局のコントローラ。
【請求項８】
請求項７に記載の装置であって、以下を更に具備する：
前記決定されたスケジューリングに従って前記逆リンクの付加チャネルを送信するための前記移動局の送信機。
【請求項９】
送信スケジューリング情報に従った逆リンクの付加チャネルの送信のための方法であって、以下を具備する：
通信システムの移動局のグループへの移動局の分類を確認する；
前記移動局のグループへ割り当てられた順リンクのチャネルの割当チャネルを確認する；
前記移動局で前記割り当てられた順リンクの共通割当チャネルを受信する；
前記受信に基づいて前記通信システムの前記移動局のために前記逆リンクの付加チャネルの送信のスケジューリングを決定する。
【請求項１０】
請求項９に記載の方法であって、以下を更に具備する：
前記決定されたスケジューリングに従って前記移動局からの前記逆リンクの付加チャネルの送信の送信をスケジュールする；
前記決定されたスケジューリングに従って前記逆リンクの付加チャネルを送信する。
【請求項１１】
送信スケジューリング情報に従った逆リンクの付加チャネルの送信のための装置であって、以下を具備する：
通信システムの移動局のグループへの移動局の分類を確認し、前記移動局のグループへ割り当てられた順リンクのチャネルの割当チャネルを確認するためのコントローラ；
前記移動局で前記割り当てられた順リンクの共通割当チャネルを受信するための受信機；
前記コントローラは更に前記受信に基づいて前記通信システムの前記移動局のために前記逆リンクの付加チャネルの送信のスケジューリングを決定するためである。
【請求項１２】
請求項１１に記載の装置であって、以下を更に具備する：
前記コントローラは更に前記決定されたスケジューリングに従って前記移動局からの前記逆リンクの付加チャネルの送信の送信をスケジュールするためである；
前記決定されたスケジューリングに従って前記逆リンクの付加チャネルを送信するための送信機。
【請求項１３】
以下を具備する方法：
複数の無線送受信機を無線送受信機の複数のグループに分類すること；
前記無線送受信機の複数のグループに対応する数の共通割当チャネルを割り当てること；そして
前記無線送受信機の複数のグループに割り当てられた前記対応する数の共通割当チャネル上に付加チャネルのスケジューリング情報を送信すること。
【請求項１４】
前記対応する数の共通割当チャネルはデータチャネルより低いデータ速度を有する、請求項１３記載の方法。
【請求項１５】
以下を具備する装置：
複数の無線送受信機を無線送受信機の複数のグループに分類し、前記無線送受信機の複数のグループに対応する数の共通割当チャネルを割り当てるための基地局コントローラ；そして
前記無線送受信機の複数のグループに割り当てられた前記対応する数の共通割当チャネル上に付加チャネルのスケジューリング情報を送信するための送信機。
【請求項１６】
前記対応する数の共通割当チャネルはデータチャネルより低いデータ速度を有する、請求項１５記載の装置。
【請求項１７】
以下を具備する方法：
無線送受信機に対して付加チャネルの送信のスケジューリングを決定すること；
前記無線送受信機を無線送受信機のグループに分類すること；
前記無線送受信機のグループに共通割当チャネルを割り当てること；
前記割り当てられた共通割当チャネルに前記決定されたスケジューリングに関連した情報を組み入れること；そして
付加チャネルの送信のスケジューリングのために前記無線送受信機に前記割り当てられた共通割当チャネルを送信すること。
【請求項１８】
以下を更に具備する請求項１７記載の方法：
前記無線送受信機で前記割り当てられた共通割当チャネルを受信すること；
前記決定されたスケジューリングに従って前記無線送受信機からの前記付加チャネルの送信の送信をスケジュールすること。
【請求項１９】
以下を更に具備する請求項１８記載の方法：
前記決定されたスケジューリングに従って前記付加チャネルを送信すること。
【請求項２０】
以下を具備するシステム：
通信システムの無線送受信機に対して付加チャネルの送信のスケジューリングを決定し、前記無線送受信機を前記通信システムの無線送受信機のグループに分類し、そして前記無線送受信機のグループに共通割当チャネルを割り当てるための基地局コントローラ；そして
前記割り当てられた共通割当チャネルに前記決定されたスケジューリングに関連した情報を組み入れ、そして前記付加チャネルの送信のスケジューリングのために前記無線送受信機に前記割り当てられた共通割当チャネルを送信するための送信機。
【請求項２１】
以下を更に具備する請求項２０記載のシステム：
前記無線送受信機で前記割り当てられた共通割当チャネルを受信するための前記無線送受信機の受信機；そして
前記決定されたスケジューリングに従って前記無線送受信機からの前記付加チャネルの送信の送信をスケジュールするための前記無線送受信機のコントローラ。
【請求項２２】
以下を更に具備する請求項２１記載のシステム：
前記決定されたスケジューリングに従って前記付加チャネルを送信するための前記無線送受信機の送信機。
【請求項２３】
以下を具備する方法：
無線送受信機のグループへの無線送受信機の分類を確認すること；
前記無線送受信機のグループへ割り当てられた共通割当チャネルを確認すること；
前記無線送受信機で前記割り当てられた共通割当チャネルを受信すること；そして
前記受信することに基づいて前記無線送受信機のために前記付加チャネルの送信のスケジューリングを決定すること。
【請求項２４】
以下を更に具備する請求項２３記載の方法：
前記決定されたスケジューリングに基づいて前記無線送受信機からの前記付加チャネルの送信の送信をスケジュールすること；そして
前記決定されたスケジューリングに従って前記付加チャネルを送信すること。
【請求項２５】
以下を具備する装置：
無線送受信機のグループへの無線送受信機の分類を確認し、そして前記無線送受信機のグループへ割り当てられた共通割当チャネルを確認するためのコントローラ；そして
前記無線送受信機で前記割り当てられた共通割当チャネルを受信するための受信機；
前記コントローラは更に前記受信に基づいて前記無線送受信機のために前記付加チャネルの送信のスケジューリングを決定するためであり、
前記コントローラは更に前記決定されたスケジューリングに従って前記無線送受信機からの前記付加チャネルの送信の送信をスケジュールするためである；そして
前記決定されたスケジューリングに従って前記付加チャネルを送信するための送信機。